(57)【要約】【課題】簡単な構造であってコスト面で有利にできる照明器具を提供する。【解決手段】照明器具１０は、器具本体１１と、ソケット溝３１を有する一対のソケット１２，１３と、一対のソケット１２，１３のソケット溝３１に取り付けられる直管ランプ１４とを備え、直管ランプ１４が、筒部１８の長手方向両端部にそれぞれ設けられた一対の口金１９，２０と、各口金１９，２０のうちの少なくとも一方における端面に設けられた複数のピン２１と、を有するとともに、各ピン２１の配列方向と各ＬＥＤユニット２５の光軸方向とが直交し、ソケット溝３１が、ソケット取付面に対して平行な線に沿って配置された状態でピン２１が挿入される。【選択図】図１
2013069434.tif 000002
【特許請求の範囲】
【請求項１】
器具本体と、
前記器具本体の両端に取り付けられ、ソケット溝を有する一対のソケットと、
前記一対のソケットの前記ソケット溝に取り付けられる直管ランプとを備え、
前記直管ランプが、
透光性を有する筒部に収容され、かつ、前記筒部の長手方向に沿って配列された複数のＬＥＤユニットと、
筒部の長手方向両端部にそれぞれ設けられた一対の口金と、
前記各口金のうちの少なくとも一方における端面に設けられた複数のピンと、を有するとともに、各ピンの配列方向と前記各ＬＥＤユニットの光軸方向とが直交し、
前記ソケット溝が、ソケット取付面に対して平行な線に沿って配置された状態で前記ピンが挿入される照明器具。
【請求項２】
請求項１に記載の照明器具において、
前記直管ランプが前記ＬＥＤユニットの光軸方向を下方に向けて配置されており、前記器具本体が、前記直管ランプの前記ＬＥＤユニットの光軸方向とは反対側に反射板を備える照明器具。
【請求項３】
請求項１に記載の照明器具において、
前記直管ランプが前記ＬＥＤユニットの光軸方向を上方に向けて配置されており、前記器具本体が、前記直管ランプの前記ＬＥＤユニットの光軸方向と同方向側に反射板を備える照明器具。
【発明の詳細な説明】
【技術分野】
【０００１】
本発明は、ＬＥＤを有する直管型ＬＥＤランプを光源として天井面等に設置される照明器具に関する。
【背景技術】
【０００２】
従来より、複数の発光素子からなる光源を保護管体内に固定する一対の封止体を有し、封止体の両端面側に設けられたピンを有する口金を備えた直管型ＬＥＤランプを装備する照明器具が知られている（例えば、特許文献１参照）。
特許文献１は、封止体と口金との間に、口金に対する封止体の取り付け位置を調節する照明方向の調節部材が設けられており、調節部材が封止体に対して回動自在に構成される。
特許文献１は、調節部材を介して口金に対する封止体の取り付け位置を調整することにより、封止体の回転に伴って光源の方向が変更される。
【先行技術文献】
【特許文献】
【０００３】
【特許文献１】特開２０１０−２１２１６２号公報（図１、請求項１）
【発明の概要】
【発明が解決しようとする課題】
【０００４】
特許文献１は、ソケットがどのような向きに取り付けられていても、目的の方向を正しく照らすことができる。
しかし、特許文献１は、光源の方向を変更させるに際し、口金を所定の方向に回動させた後に、直管型ＬＥＤランプのランプ本体を所望の方向に向ける動作を行う。
従って、特許文献１は、複雑な構造になってコスト面で不利になる。
【０００５】
本発明は、前述した課題を解決するためになされたものであり、その目的は、簡単な構造であってコスト面で有利にできる照明器具を提供することにある。
【課題を解決するための手段】
【０００６】
本発明に係る照明器具は、器具本体と、前記器具本体の両端に取り付けられ、ソケット溝を有する一対のソケットと、前記一対のソケットの前記ソケット溝に取り付けられる直管ランプとを備え、前記直管ランプが、透光性を有する筒部に収容され、かつ、前記筒部の長手方向に沿って配列された複数のＬＥＤユニットと、筒部の長手方向両端部にそれぞれ設けられた一対の口金と、前記各口金のうちの少なくとも一方における端面に設けられた複数のピンと、を有するとともに、各ピンの配列方向と前記各ＬＥＤユニットの光軸方向とが直交し、前記ソケット溝が、ソケット取付面に対して平行な線に沿って配置された状態で前記ピンが挿入される。
【０００７】
本発明に係る照明器具は、前記直管ランプが前記ＬＥＤユニットの光軸方向を下方に向けて配置されており、前記器具本体が、前記直管ランプの前記ＬＥＤユニットの光軸方向とは反対側に反射板を備える。
【０００８】
本発明に係る照明器具は、前記直管ランプが前記ＬＥＤユニットの光軸方向を上方に向けて配置されており、前記器具本体が、前記直管ランプの前記ＬＥＤユニットの光軸方向と同方向側に反射板を備える。
【発明の効果】
【０００９】
本発明に係る照明器具によれば、簡単な構造であってコスト面で有利にできるという効果を奏する。
【図面の簡単な説明】
【００１０】
【図１】本発明に係る一実施形態の照明器具の分解斜視図
【図２】本発明に係る一実施形態の照明器具のソケットと直管型ＬＥＤランプの給電側ピンとの組み付けを説明する外観斜視図
【図３】本発明に係る一実施形態の照明器具の取付面への取付後の一部破断側面図
【図４】本発明に係る一実施形態の照明器具の変形例の取付面への取付後の一部破断側面図
【図５】本発明に係る一実施形態の照明器具の他の変形例の取付面への取付後の一部破断側面図
【発明を実施するための形態】
【００１１】
以下、本発明に係る一実施形態の照明器具について図面を参照して説明する。
図１に示すように、本発明に係る一実施形態の照明器具１０は、器具本体１１と、器具本体１１の一端部に取り付けられた給電側ソケット１２と、器具本体１１の他端部に取り付けられた接地側ソケット１３とを備える。
また、照明器具１０は、給電側ソケット１２と接地側ソケット１３とに電気的に接続されて機械的に取り付けられる直管型ＬＥＤランプ１４を備える。
そして、照明器具１０は、直管型ＬＥＤランプ１４の側方に配置されて器具本体１１に取り付けられる主反射板１５を備える。
照明器具１０は、壁面等の取付面（図３参照）９０に設置されるベースライトである。
【００１２】
器具本体１１は、金属製板部材を折曲することにより側方を開口させて成形されている。
器具本体１１は、内側の側部に、電源端子台１６と、電源ブロック１７とを取り付けている。
電源端子台１６には、不図示の外部配線が接続されるとともに、同じく不図示の器具配線が電源ブロック１７に接続される。電源ブロック１７は、同じく不図示の器具配線を通じて給電側ソケット１２および接地側ソケット１３に接続される。
【００１３】
直管型ＬＥＤランプ１４は、断面が略円形状であって透光性を有する筒部であるガラス管１８の長手方向の一端部に第１口金１９を有し、ガラス管１８の長手方向の他端部に第２口金２０を有する。
そして、直管型ＬＥＤランプ１４は、第１口金１９の端面に複数の給電側ピン２１を有し、第２口金２０の端面に単一の接地側ピン２２を有する。
なお、給電側ピン２１および接地側ピン２２の数は、図示した２本の給電側ピン２１および１本の接地側ピン２２に限定されず、内部回路に応じて適宜設定される。
【００１４】
直管型ＬＥＤランプ１４は、ガラス管１８内に、複数のＬＥＤ２３がガラス管１８の軸方向に封止されたＬＥＤ基板２４を有する複数のＬＥＤユニット２５を内蔵している。
複数のＬＥＤユニット２５は、コ字形状に形成されてＬＥＤ基板２４に固定されたヒートシンク２６を含む。
ここで、ＬＥＤユニット２５のＬＥＤ２３は、その光軸方向Ｘが、給電側ピン２１の配列方向Ｙに直交して配置されている。
【００１５】
直管型ＬＥＤランプ１４は、給電側ソケット１２から給電された直流電流が給電側ピン２１から接地側ピン２２を通じて接地側ソケット１３に流れることにより、ＬＥＤ基板２４に有する不図示のプリント回路に直流電流が供給されてＬＥＤ２３が発光される。
【００１６】
主反射板１５は、器具本体１１と同様に、金属製板部材により形成されており、下面が反射機能を有する白色や乳白色に塗装されている。
主反射板１５は、両端部に、給電側ソケット１２および接地側ソケット１３を挿入させるための給電側ソケット逃部２７および接地側ソケット逃部２８を有する。
【００１７】
次に、給電側ソケット１２および接地側ソケット１３について詳細に説明する。
なお、給電側ソケット１２および接地側ソケット１３は、同一構造を有するために、ここでは、接地側ソケット１３の説明は省略する。
図２に示すように、給電側ソケット１２は、器具本体１１に取り付けられるソケット本体２９と、このソケット本体２９とは独立していてソケット本体２９に回動可能に取り付けられるピン保持部３０とを備えている。
ソケット本体２９は、例えば非導電部材である樹脂製であって、内部に直管型ＬＥＤランプ１４の給電側ピン２１に電気的に接触する不図示の複数のピン受端子を収容している。ピン受端子は、電源ブロック１７に電気的に接続される。
【００１８】
ピン保持部３０は、ソケット本体２９と同様の樹脂製であって、直管型ＬＥＤランプ１４の給電側ピン２１を挿入させるためのソケット溝３１を径方向に有する。
給電側ソケット１２は、ピン保持部３０のソケット溝３１が、ソケット取付面である主反射板１５の面に対して平行な線に沿って配置された状態で給電側ピン２１が挿入される。
そして、給電側ソケット１２は、ピン保持部３０のソケット溝３１がソケット取付面に対して９０度で直交する位置まで、ピン保持部３０がソケット本体２９に対して回動可能である。
【００１９】
次に、給電側ソケット１２に対する直管型ＬＥＤランプ１４の取り付け手順について説明する。
図３に示すように、給電側ピン２１が垂直方向（図２参照）を向けられた直管型ＬＥＤランプ１４が給電側ソケット１２に下方から進行されていく。
このとき、給電側ソケット１２は、ピン保持部３０のソケット溝３１が、ソケット取付面に対して平行な線に沿って配置された状態（図２参照）にある。
そして、直管型ＬＥＤランプ１４の給電側ピン２１が給電側ソケット１２のピン保持部３０のソケット溝３１に挿入される。
このとき、直管型ＬＥＤランプ１４の給電側ピン２１は、給電側ソケット１２のピン保持部３０のソケット溝３１に挿入されただけであってピン受端子に接触してない。
【００２０】
次に、直管型ＬＥＤランプ１４が、図３中の時計回転方向に押圧回動される。直管型ＬＥＤランプ１４が図３中の時計回転方向に押圧回動されることにより、ピン保持部３０のソケット溝３１が給電側ピン２１に押圧回動される。
そして、ピン保持部３０のソケット溝３１が図３中の時計回転方向に９０度回動されることにより、給電側ピン２１がピン受端子に接触して、ピン保持部３０の回動が完了される。
【００２１】
これにより、給電側ピン２１の配列方向Ｙに直交して配置されているＬＥＤユニット２５のＬＥＤ２３は、その光軸方向Ｘが下方に向くことになる。
従って、直管型ＬＥＤランプ１４は、給電側ソケット１２に下方から挿入されて９０度回動される簡単な動作だけで、床面に向けた配光範囲Ａ１０の配光特性を設定できる。
【００２２】
次に、照明器具１０の変形例について説明する。
図４に示すように、本変形例は、器具本体１１の上方に副反射板４１を取り付けている。副反射板４１は、直管型ＬＥＤランプ１４の上方を覆うように上方に凸の湾曲形状であって、器具本体１１の長さ寸法に同等の長さ寸法を有する。
本変形例は、給電側ピン２１が垂直方向を向けられた直管型ＬＥＤランプ１４が給電側ソケット１２に下方から進行されていき、直管型ＬＥＤランプ１４が、図４中の時計回転方向に押圧回動される。
【００２３】
ピン保持部３０のソケット溝３１が図４中の時計回転方向に９０度回動されることにより、給電側ピン２１の配列方向Ｙに直交して配置されているＬＥＤユニット２５のＬＥＤ２３は、その光軸方向Ｘが下方に向くことになる。
このとき、ＬＥＤユニット２５のＬＥＤ２３から上方へ向けて出射された光成分は、ＬＥＤユニット２３の光軸方向（下方）とは反対側に設けられた副反射板４１により下方へ向けて反射することになる。
従って、本変形例は、副反射板４１により集光された配光範囲Ａ１１の配光特性を設定できる。
【００２４】
次に、照明器具１０の他の変形例について説明する。
図５に示すように、本変形例は、器具本体１１の上方に副反射板５１を取り付けている。副反射板５１は、直管型ＬＥＤランプ１４の上方を覆うように上方に凸の湾曲形状であって、器具本体１１の長さ寸法に同等の長さ寸法を有する。
本変形例は、給電側ピン２１が垂直方向を向けられた直管型ＬＥＤランプ１４が給電側ソケット１２に上方から進行されていき、直管型ＬＥＤランプ１４が、図５中の時計回転方向に押圧回動される。
【００２５】
ピン保持部３０のソケット溝３１が図５中の時計回転方向に９０度回動されることにより、給電側ピン２１の配列方向Ｙに直交して配置されているＬＥＤユニット２５のＬＥＤ２３は、その光軸方向Ｘが上方に向くことになる。
このとき、ＬＥＤユニット２５のＬＥＤ２３から上方へ向けて出射された光成分は、ＬＥＤユニット２５の光軸方向（上方）と同方向側に設けられた副反射板５１により下方へ向けて反射することになる。
従って、本変形例は、副反射板５１により斜め方向に反射された配光範囲Ａ１２の配光特性を設定できる。
【００２６】
以上、説明した本発明に係る一実施形態の照明器具１０によれば、ピン保持部３０のソケット溝３１がソケット取付面に対して平行な線に沿って配置された状態にあるときに、直管型ＬＥＤランプ１４の給電側ピン２１がソケット溝３１に挿入される。
そして、照明器具１０によれば、直管型ＬＥＤランプ１４が９０度回動される簡単な動作だけで給電側ソケット１２に装着されて床面に向けた配光範囲Ａ１０の配光特性を設定できるので、簡単な構造であってコスト面で有利にできる。
【００２７】
また、照明器具１０によれば、ＬＥＤユニット２５のＬＥＤ２３から上方へ向けて出射された光成分が副反射板４１により下方へ向けて反射される。
従って、照明器具１０によれば、副反射板４１により集光された配光範囲Ａ１１の配光特性を設定できる。
【００２８】
そして、照明器具１０によれば、ＬＥＤユニット２５のＬＥＤ２３が光軸方向Ｘを上方に向けて配置され、ＬＥＤユニット２５のＬＥＤ２３から上方へ向けて出射された光成分が副反射板５１により下方へ向けて反射される。
従って、照明器具１０によれば、副反射板５１により斜め方向に反射された配光範囲Ａ１２の配光特性を設定できる。
【００２９】
なお、本発明の照明器具において器具本体、主反射板、電源端子台、電源ブロック等は、前述した一実施形態に限定されるものでなく、適宜な変形や改良等が可能である。
【符号の説明】
【００３０】
１０  照明器具
１１  器具本体
１２  給電側ソケット
１３  接地側ソケット
１４  直管型ＬＥＤランプ
１８  ガラス管（筒部）
１９  第１口金（口金）
２０  第２口金（口金）
２１  給電側ピン（ピン）
２５  ＬＥＤユニット
３１  ソケット溝
４１，５１  副反射板（反射板）
【図１】
2013069434.tif 000003
【図２】
2013069434.tif 000004
【図３】
2013069434.tif 000005
【図４】
2013069434.tif 000006
【図５】
2013069434.tif 000007